(57)【要約】【課題】  仕様決定時に、切換部の実装指示を変更するだけで、複数種類の磁気記録形式に対応したカード処理装置の回路構成を容易かつ迅速に実現することができるカード処理装置を提供する。【解決手段】  磁気記録媒体１０が有する複数の磁気トラックに対して読み取り／書き込みを行うカード処理装置２０において、複数の磁気トラック１２，１４それぞれに対して磁気情報の読み取り／書き込みを行う複数の磁気ヘッド３０，３２と、複数の磁気トラックのうち磁気記録形式の異なる磁気トラック１２，１４それぞれに対応した磁気ヘッド３０，３２によって磁気情報の読み取り／書き込みを行うための複数の復調手段と、磁気記録形式の異なる磁気トラック１２，１４それぞれに対応した磁気ヘッド３０，３２と当該磁気ヘッド３０，３２に対応した復調手段とを選択的に切り換える切換部４０とを有するように構成した。【選択図】    図１
2007052853.tif 000002
【特許請求の範囲】
【請求項１】
磁気記録媒体が有する複数の磁気トラックに対して磁気情報の読み取り／書き込みを行うカード処理装置において、
前記複数の磁気トラックそれぞれに対して磁気情報の読み取り／書き込みを行う複数の磁気ヘッドと、
前記複数の磁気トラックのうち磁気記録形式の異なる磁気トラックそれぞれに対応した磁気ヘッドによって前記磁気情報の読み取り／書き込みを行うための複数の復調手段と、
前記磁気記録形式の異なる磁気トラックそれぞれに対応した磁気ヘッドと当該磁気ヘッドに対応した前記復調手段とを選択的に切り換える切換部と、を有することを特徴とするカード処理装置。
【請求項２】
前記切換部は、前記磁気ヘッドに対応したヘッド側端子と、前記複数の復調手段それぞれに対応した複数の回路側端子と、前記ヘッド側端子と前記複数の回路側端子とを接続する接続手段と、を有することを特徴とする請求項１に記載のカード処理装置。
【請求項３】
前記接続手段が、ジャンパ線又はジャンパ抵抗であることを特徴とする請求項２に記載のカード処理装置。
【請求項４】
前記複数の復調手段が対応している磁気記録形式の数が、前記磁気ヘッドの数よりも多いことを特徴とする請求項１〜３のいずれかに記載のカード処理装置。
【請求項５】
磁気記録形式が異なる複数の磁気情報の書き込み／読み取りを行う磁気ヘッド側のヘッド側端子と、前記複数の磁気情報の読み取り／書き込みを行うための復調手段側の回路側端子と、前記ヘッド側端子と前記回路側端子とを選択的に接続する切換部と、を有することを特徴とするカード処理装置。
【発明の詳細な説明】
【技術分野】
【０００１】
本発明は、預金通帳、クレジットカード、プリペイドカード、キャッシュカード、カードキー等の磁気記録媒体に対するカード処理装置に関し、更に詳しくは、磁気記録媒体が備える複数の磁気記録形式に対応したカード処理装置に関するものである。
【背景技術】
【０００２】
近年多用されている預金通帳、貯金通帳、クレジットカード、プリペイドカード、キャッシュカード、カードキー等の磁気記録媒体では、ＩＳＯ規格、ＪＩＳ規格その他複数種類の磁気記録形式が用いられている。磁気記録形式が異なるこれらの磁気記録媒体に対しては、個々に仕様の異なるカード処理装置が提供され、そのカード処理装置によって磁気情報が処理（読み出し／書き込み）されている。
【０００３】
図５及び図６は、従来のカード処理装置における磁気情報処理系のブロック図である。図５に示す磁気記録媒体５１０のトラック＃１及びトラック＃２には、ＩＳＯ規格の記録形式に基づいた磁気情報が記録されている。この磁気記録媒体５１０に記録されている磁気情報を読み取るためのカード処理装置５２０には、トラック＃１に記録されている磁気情報及びトラック＃２に記録されている磁気情報を読み取って電流情報に変換する磁気ヘッド５３０が設けられている。そして、磁気ヘッド５３０が読み取ったトラック＃１の磁気情報は、復調手段を含む磁気情報処理手段５６０のポート１に直接入力され、ＩＳＯ規格に基づき復調化され、また、磁気ヘッド５３０が読み取ったトラック＃２の磁気情報は、復調手段を含む磁気情報処理手段５６０のポート２に直接入力され、ＩＳＯ規格に基づき復調化される。
【０００４】
一方、図６に示す磁気記録媒体６１０のトラック＃１には、ＩＳＯ規格の記録形式に基づいた磁気情報が記録され、トラック＃２には、ＪＩＳ規格の記録形式に基づいた磁気情報が記録されている。この磁気記録媒体６１０に記録されている磁気情報を読み取るためのカード処理装置６２０では、磁気ヘッド６３０が読み取ったトラック＃１の磁気情報は、復調手段を含む磁気情報処理手段６６０のポート１に直接入力され、ＩＳＯ規格に基づき復調化される。また、磁気ヘッド６３０が読み取ったトラック＃２の磁気情報は、復調手段を含む磁気情報処理手段６６０のポート２に直接入力され、ＪＩＳの規格に基づき復調化される。
【０００５】
図５及び図６に示した従来例は、一つの磁気記録媒体に２種類の磁気情報のトラックが存在する場合であるが、現実には４種類のトラックを有する磁気記録媒体も存在する。図５及び図６に示したように、従来は、磁気記録媒体の磁気記録形式とその組み合わせに応じて、それぞれの磁気記録形式に対応した復調手段を備えたカード処理装置を設計、製作しなければならず、カード処理装置のハードウエア並びにソフトウエアを要求仕様毎に個別に設計を行って供給しなければならなかった。
【０００６】
また、下記特許文献１に記載されているように、書込み回路と読出し回路の数を減らし、低コストで小形軽量化を図るための磁気ヘッド装置として、複数の磁気ヘッド数よりも少なく設けられた書込み回路又は読出し回路と、磁気カ−ドと磁気ヘッドとを相対的に往復摺接移動させる移動機構と、その移動機構が一往動又は一復動する毎に書込回路又は読出し回路を他の磁気ヘッドに切換える切替回路とからなり、磁気ヘッドの切換えを行ないうるものが知られている。
【特許文献１】実開平６−８４５０３号公報
【発明の開示】
【発明が解決しようとする課題】
【０００７】
しかしながら、図５及び図６に示したカード処理装置は、設計上は流用可能な共通部分を有しているが、製品としては全くの別製品であるので、特に複数の復調手段を組み合わせた状態での設計、試作はもとより、生産、品質保証、アフターサービス等の工程管理が煩雑になり、生産コストや管理コストが増大し、最終的にはカード処理装置の価格の上昇を招くという不具合を生じていた。また、迅速な製品提供を阻害するという不具合を生じていた。
【０００８】
また、特許文献１に記載されている磁気ヘッド装置は、磁気ヘッド数よりも少なく設けられた書込み回路又は読出し回路が設けられて、磁気ヘッドと書込回路又は読出し回路を読取り又は書込み作動毎に切り換えるものであり、磁気ヘッド装置の生産や品質保証、アフターサービス等の工程管理を容易にするものではない。
【０００９】
本発明は、上記課題を解決するためになされたものであって、その目的は、仕様決定時に、切換部の実装指示を変更するだけで、複数種類の磁気記録形式に対応したカード処理装置の回路構成を容易かつ迅速に実現することができるカード処理装置を提供することにある。
【課題を解決するための手段】
【００１０】
上記課題を解決するための本発明のカード処理装置は、磁気記録媒体が有する複数の磁気トラックに対して磁気情報の読み取り／書き込みを行うカード処理装置において、前記複数の磁気トラックそれぞれに対して磁気情報の読み取り／書き込みを行う複数の磁気ヘッドと、前記複数の磁気トラックのうち磁気記録形式の異なる磁気トラックそれぞれに対応した磁気ヘッドによって前記磁気情報の読み取り／書き込みを行うための複数の復調手段と、前記磁気記録形式の異なる磁気トラックそれぞれに対応した磁気ヘッドと当該磁気ヘッドに対応した前記復調手段とを選択的に切り換える切換部と、を有することを特徴とする。
【００１１】
この発明によれば、例えば多種の磁気記録形式に対応した複数の復調手段を備えると共に、磁気記録形式の異なる磁気トラックそれぞれに対応した磁気ヘッドと、その磁気ヘッドに対応した復調手段とを選択的に切り換える切換部を備えるので、例えばカード処理装置の仕様が決定された後に、磁気ヘッドを対応する復調手段に接続することができる。その結果、仕様決定時に、切換部の実装指示を変更するだけで、複数種類の磁気記録形式に対応したカード処理装置の回路構成を容易かつ迅速に実現することができる。
【００１２】
本発明のカード処理装置において、前記切換部は、前記磁気ヘッドに対応したヘッド側端子と、前記複数の復調手段それぞれに対応した複数の回路側端子と、前記ヘッド側端子と前記複数の回路側端子とを接続する接続手段と、を有することを特徴とする。このときの接続手段としては、ジャンパ線又はジャンパ抵抗等を挙げることができる。
【００１３】
この発明によれば、ヘッド側端子と複数の回路側端子とを、ジャンパ線やジャンパ抵抗等の接続手段で接続する切換部を設けたので、カード処理装置の仕様決定時に実装指示の変更により、多種の復調手段の中から所定の復調手段を容易に選択して接続することができる。
【００１４】
本発明のカード処理装置において、前記複数の復調手段が対応している磁気記録形式の数が、前記磁気ヘッドの数よりも多いことが好ましい。
【００１５】
この発明によれば、前記複数の復調手段が対応している磁気記録形式の数が、前記磁気ヘッドの数よりも多いので、切換部によって、磁気ヘッドに対応した復調手段を選択することができ、切換部の実装指示を変更するだけで要求仕様に応じたカード処理装置を迅速に提供することができる。
【００１６】
上記課題を解決するための本発明の他の形態に係るカード処理装置は、上記形態のカード処理装置に含まれるものであって、磁気記録形式が異なる複数の磁気情報の書き込み／読み取りを行う磁気ヘッド側のヘッド側端子と、前記複数の磁気情報の読み取り／書き込みを行うための復調手段側の回路側端子と、前記ヘッド側端子と前記回路側端子とを選択的に接続する切換部と、を有することを特徴とする。
【００１７】
この発明は、多種の磁気記録形式に対応した複数の復調手段を備えると共に、磁気記録形式の異なる磁気トラックそれぞれに対応した磁気ヘッドとを備えるカード処理装置の主要な構成部分であって、磁気ヘッド側のヘッド側端子と復調手段側の回路側端子と、それらを選択的に接続する切換部とを有するので、例えばカード処理装置の仕様が決定された後に切換部の実装指示を変更するだけで、要求仕様に応じたカード処理装置を迅速に提供することができる。
【発明の効果】
【００１８】
本発明のカード処理装置によれば、磁気ヘッドと復調手段との間に中継子となる切換部を設けたので、この切換部でカード処理装置の要求仕様に見合った回路構成を容易に実現できる。これにより、多種の復調手段を備えた共通の切換部を予め準備しておけば、切換部の実装指示を変更するだけで多様な要求仕様に対して迅速に対応することができる。
【００１９】
また、本発明のカード処理装置によれば、切換部を設けることによって、所定の復調手段のポートに入出力される磁気情報のフォーマット（磁気記録形式）を固定することができる。これにより、検証済のハードウエア及びソフトウエアを予め作り置くことができる。よって、多様な要求仕様に対しても組合わせの検討のみを行えばよく、従来のように要求仕様に応じたシステム設計、復調手段設計又は復調化処理のソフトウエアの設計、並びに検証作業が不要となり、新たな要求仕様に対して迅速に対応することができる。
【００２０】
更に、本発明のカード処理装置によれば、所定の復調手段のポートの入出力情報を固定することにより、復調化処理のソフトウエアの部品化を実現することができ、要求に応じたＣＰＵの選択もできるので、回路設計の自由度が向上する。例えば、処理能力が高いＣＰＵを磁気情報処理手段に用いた場合にはソフトウエアによる復調化処理ができるので、復調用ＩＣが不要となる。また、復調用ＩＣを磁気情報処理手段に用いる場合には、処理能力が低い安価なＣＰＵを用いることができる。更に、ＵＳＢや無線通信など多彩な通信仕様に見合った通信能力を有するＣＰＵを選択することもできる。
【発明を実施するための最良の形態】
【００２１】
以下、本発明のカード処理装置について図面を参照しつつ説明する。なお、本発明は以下の実施形態に限定されるものではない。また、本願において、「読み取り／書き込み」は、「読み取り及び／又は書き込み」を意味している。
【００２２】
本発明のカード処理装置は、図１〜図４に示すように、磁気記録媒体が有する複数の磁気トラックに対して磁気情報の読み取り／書き込みを行うカード処理装置において、複数の磁気トラックそれぞれに対して磁気情報の読み取り／書き込みを行う複数の磁気ヘッドと、その複数の磁気トラックのうち磁気記録形式の異なる磁気トラックそれぞれに対応した磁気ヘッドによって前記磁気情報の読み取り／書き込みを行うための複数の復調手段と、前記磁気記録形式の異なる磁気トラックそれぞれに対応した磁気ヘッドとその磁気ヘッドに対応した復調手段とを選択的に切り換える切換部とを有している。本発明においては、複数の復調手段が対応している磁気記録形式の数が、磁気ヘッドの数よりも多く構成されていることが好ましい。
【００２３】
なお、本願において「複数の磁気ヘッド」とは、１チャンネルの磁気ヘッドを複数設けるものはもちろん、マルチチャンネルヘッドとして外見上は一個の部品として構成された磁気ヘッドであって、磁気ストライプ上に構成された複数の磁気トラックに対する読み取り／書き込みを行う複数のチャンネルで構成されたものを含む意味である。以下に、種々の実施形態を示す。
【００２４】
（第１実施形態）
図１は、本発明のカード処理装置の第１実施形態を示す構成図である。この第１実施形態に係るカード処理装置２０は、磁気記録媒体１０が有する２つの磁気トラック１２，１４に対して磁気情報の読み取り／書き込みを行うカード処理装置において、２つの磁気トラック１２，１４それぞれに対して磁気情報の読み取り／書き込みを行う２つの磁気ヘッド２６，２８と、磁気記録形式の異なる磁気トラック１２，１４それぞれに対応した磁気ヘッド２６，２８によって磁気情報の読み取り／書き込みを行うための複数の復調手段と、磁気記録形式の異なる磁気トラック１２，１４それぞれに対応した磁気ヘッド２６，２８とその磁気ヘッド２６，２８に対応した復調手段とを選択的に切り換える切換部４０とを有している。
【００２５】
磁気記録媒体１０には、識別情報等の各種情報を記録する磁気トラック１２，１４が設けられている。この複数の磁気トラック１２，１４に記録されている磁気情報は、同一の磁気記録形式であってもよいし、それぞれ異なる複数の磁気記録形式であってもよく、磁気記録媒体１０の仕様に応じて予め定められている。
【００２６】
この第１実施形態では、ＩＳＯ規格に基づいた磁気トラックが２つ（２トラック）存在する磁気記録媒体１０の例を示すが、磁気記録媒体の仕様によっては、ＩＳＯ規格以外の磁気記録形式が存在してもよい。また、磁気トラックの数も、１トラック、３トラック、又は４トラック、又はそれ以上の仕様であってもよい。また、現在広く流通しているカード型の磁気記録媒体は、一方の面（表面）に１チャンネル（１トラック／１ストライプ）で、他方の面（裏面）に３チャンネル（３トラック／１ストライプ）を有する４チャンネル対応のものが多く、これに対応するカード処理装置（カードリーダ）がある。
【００２７】
図１に示す手動式のカード処理装置２０は、磁気記録媒体１０の１乃至複数の磁気トラックに記録されている磁気情報を読み取って、各磁気トラックの磁気記録形式に対応したデータ処理を行って記録情報に変換し、記録情報を上位のホストコンピュータ等に出力する装置である。
【００２８】
手動式のカード処理装置２０は、媒体挿入部２２と、挿入した磁気記録媒体１０をスライドさせるスライド溝２４と、磁気記録媒体１０をスライドさせた際に磁気記録媒体１０の磁気トラック１２，１４に記録されている特定の磁気情報を読み取って、その磁気情報を電流情報に変換する磁気ヘッド２６，２８とを備えている。
【００２９】
カード処理装置２０の信号処理系として、磁気ヘッド２６，２８から電流情報を入力して増幅し、パルス信号に変換して出力するヘッドアンプ３０，３２と、そのヘッドアンプ３０，３２の出力と接続手段５０とを接続するヘッド側端子４２，４４とを備えている。
【００３０】
また、カード処理装置２０の信号処理系として、ヘッドアンプ３０，３２等が出力したパルス信号に対してＩＳＯ規格に基づいた復調化やＪＩＳ規格に基づいた復調化等の復調化処理を行って記録情報を生成し、この記録情報を通信等により上位のホストコンピュータ等に出力する複数の復調手段を備えた磁気情報処理手段６０と、ヘッド側端子４２，４４と磁気情報処理手段６０における復調手段のポート６２，６４，６６，６８とをジャンパ線やジャンパ抵抗等の接続手段５０を用いて接続する回路側端子５２，５４，５６，５８とを備えている。
【００３１】
更に、カード処理装置２０の信号処理系には、接続手段５０を接続していない際に入力値をＨｉ又はＬｏに固定すると共に、信号線に所定の電流を流してノイズ等による誤動作を防止するプルアップ抵抗Ｒｐ（又はプルダウン抵抗）を備えている。切換部４０が有する接続手段５０は、ヘッド側端子４２，４４と回路側端子５２，５４，５６，５８とを接続するものであり、例えばジャンパ線やジャンパ抵抗等が挙げられる。この接続手段５０は、仕様決定時に所定の端子間に、手動又はスイッチ等で接続される。
【００３２】
磁気情報処理手段６０は、ＩＳＯ規格やＪＩＳ規格等に基づいた復調化処理を例えばソフトウエアで実現するＣＰＵやＲＯＭ、ＲＡＭ、クロック、タイマ、Ｉ／Ｏ、通信ポート等を含むＡＳＩＣ、ワンチップマイコン等を用いて実現することができる。なお、復調化処理は、ハードウエアで行うことも可能である。
【００３３】
図１に示す磁気情報処理手段６０における復調手段のポート６２，６４，６６は、磁気記録媒体１０の磁気トラックから読み取って得たパルス信号に対してＩＳＯ規格に基づいた復調化処理を行い、復調化処理して得られた記録情報を通信により出力するための入力端子として機能する。また、ポート６８は、パルス信号に対してＪＩＳ規格に基づいた復調化処理を行い、復調化処理して得られた記録情報を通信により出力するための入力端子として機能する。
【００３４】
近年では、ワンチップマイコンにおけるＲＯＭの記憶容量が増大しているので、ＩＳＯ規格、ＪＩＳ規格、その他の規格に基づいた複数の復調化処理を予め記憶しておくことは容易であり、磁気情報処理手段６０の復調化に関する機能の検査を組立後に自動化することも容易である。したがって、一つの磁気情報処理手段６０内における復調化処理の機能が増大しても、生産、品質保証、アフターサービス等の工程管理の負担は軽微なものである。これに対し、従来のように多種の磁気記録媒体の仕様に応じた多種の磁気情報処理手段を準備することは、生産、品質保証、アフターサービス等の工程管理の負担が増大し、生産コスト、管理コスト並びにカード処理装置の価格の上昇を招いていた。
【００３５】
磁気情報処理手段６０が出力する記録情報は、ＲＳ−２３２Ｆ、ＲＳ−４２２、ＵＳＢ、イーサネット（登録商標）その他の通信規格に基づいて出力することができる。本実施形態のように、ポート６２，６４，６６，６８から入力したパルス信号に基づいて生成した記録情報を、通信を用いて記録情報を上位のコンピュータ等に出力することによって、入力側のポート６２、６４、６６、６８を切り換えるだけで多くの種類の記録媒体に対応したカード処理装置を提供することができる。
【００３６】
図１に示す例では、磁気情報処理手段６０における復調手段のポート６６、６８はプルアップ抵抗Ｒｐにより入力値が固定された状態であるので、復調化処理は行われず、ポート６６，６８に対応した出力処理も行われない。
【００３７】
一方、磁気情報処理手段６０における復調手段のポート６２及びポート６４は、ヘッドアンプ３０及びヘッドアンプ３２に接続されている。したがって、利用者が磁気記録媒体１０をスライド溝２４に沿ってスライドさせると、磁気トラック１２，１４に記録されている磁気情報を磁気ヘッド２６，２８が読み取って電流情報を出力し、ヘッドアンプ３０，３２がその磁気情報をパルス信号に変換して、ヘッド側端子４２，４４、接続手段５０、回路側端子５２，５４を介してポート６２，６４に伝達する。
【００３８】
ポート６２及びポート６４にパルス信号が入力された場合には、磁気情報処理手段６０が入力されたパルス信号に対してそれぞれ独立してＩＳＯ規格に基づいた復調化処理を行うと共に、それぞれのポートに応じた識別情報を付した記録情報を生成し、その記録情報を通信により出力する。
【００３９】
図１に示した実施形態では、磁気記録媒体１０から磁気情報を読み取る場合の回路構成について説明したが、磁気記録媒体１０に磁気情報を書き込む場合にも本発明の切換部を用いることが可能である。
【００４０】
（第２実施形態）
図２は、本発明の第２実施形態に係るカード処理装置の信号処理系を示す構成図である。図１に示した磁気記録媒体１０ではＩＳＯ規格に基づいた磁気情報が記録されている２つの磁気トラック１２，１４が存在していたが、この図２に示す磁気記録媒体１１０には、ＩＳＯ規格に基づいた磁気情報が記録されている磁気トラック（ＩＳＯ  Ｔｒａｃｋ＃１。以下「＃１」で表す。）と、ＪＩＳ規格に基づいた磁気情報が記録されている磁気トラック（ＪＩＳ−２  Ｔｒａｃｋ＃２。以下「＃２」で表す。）とが存在する。
【００４１】
カード処理装置１２０の構成は、図１に示したカード処理装置２０と略同様の構成をしており、同一の機能を有する構成については説明を省略する。カード処理装置１２０の構成において、図１に示したカード処理装置２０の構成と異なる部分は、切換部４０における接続手段５０の接続を回路側端子５４から回路側端子５８に変更することによって、磁気記録媒体１１０の磁気トラック＃２をＪＩＳ規格に基づいた復調化に対応している点である。
【００４２】
図２に示す実施形態では、利用者が磁気記録媒体１１０をスライド溝２４に沿ってスライドさせると、磁気トラック＃１及び磁気トラック＃２に記録されている磁気情報がパルス信号に変換され、ヘッド側端子４２，４４に出力される。このパルス信号は、接続手段５０、回路側端子５２，５８を介してポート６２，６８に伝達される。
【００４３】
ポート６２にパルス信号が入力されると、磁気情報処理手段６０に設けられている復調手段は、ポート６２に入力されたパルス信号に対してＩＳＯ規格に基づいた復調化処理を行うと共に、ポート６２に応じた識別情報を付した記録情報を生成し、その記録情報を通信により出力する。
【００４４】
また、ポート６８にパルス信号が入力されると、磁気情報処理手段６０に設けられている復調手段は、ポート６８に入力されたパルス信号に対してＪＩＳ規格に基づいた復調化処理を行うと共に、ポート６８に応じた識別情報を付した記録情報を生成し、その記録情報を通信により出力する。
【００４５】
このように、切換部４０における接続手段５０の接続を回路側端子５４から回路側端子５８に変更することによって、同一の磁気情報処理手段６０を用いて、多種の磁気記録媒体に対応したカード処理装置を提供することができる。
【００４６】
（第３実施形態）
図３は、本発明の第３実施形態に係るカード処理装置の信号処理系を示す構成図である。図１に示した磁気記録媒体１０ではＩＳＯ規格に基づいた磁気情報が記録されている２つの磁気トラック＃１，＃２が存在していたが、図３に示す磁気記録媒体２１０には、ＩＳＯ規格に基づいた磁気情報が磁気トラック＃１、磁気トラック＃２及び磁気トラック＃３に記録されている。
【００４７】
カード処理装置２２０の構成は、図１に示したカード処理装置２０と略同様の構成をしており、同一の機能を有する構成については説明を省略する。カード処理装置２２０の構成において、図１に示したカード処理装置２０の構成と異なる部分は、磁気トラックの数量増加に伴って磁気ヘッド２９及びヘッドアンプ３３が増設されていることと、切換部４０における接続手段５０の接続を追加している点である。
【００４８】
図３に示す実施形態では、利用者が磁気記録媒体２１０をスライド溝に沿ってスライドさせると、各磁気トラックに記録されている磁気情報がパルス信号に変換され、ヘッド側端子４２，４４，４６に出力される。このパルス信号は、接続手段５０、回路側端子５２，５４，５６を介してポート６２，６４，６６に伝達される。
【００４９】
ポート６２，６４，６６にパルス信号が入力されると、磁気情報処理手段６０の復調手段は、ポート６２、６４、６６に入力されたパルス信号に対してそれぞれＩＳＯ規格に基づいた復調化処理を行うと共に、各ポートに応じた識別情報を付した記録情報を生成し、その記録情報を通信により出力する。
【００５０】
このように、磁気トラックの数が増加した場合であっても、磁気ヘッド及びヘッドアンプを増設して、切換部４０における接続手段５０の接続を追加することで、同一の磁気情報処理手段６０を用いて、多種の磁気記録媒体に対応したカード処理装置を提供することができる。
【００５１】
（第４実施形態）
図４は、本発明のカード処理装置の第４実施形態を示す構成図である。図１に示したカード処理装置２０は利用者が磁気記録媒体１０を手に持ってスライド溝２４に沿ってスライドさせる手動式のカード処理装置であるが、図４に示すカード処理装置３２０は、磁気記録媒体３１０の搬送を自動で行うカード処理装置である。
【００５２】
本発明に係るカード処理装置３２０は、利用者がクレジットカード、プリペイドカード、キャッシュカード、カードキー等の磁気記録媒体３１０を記録媒体取入口３１４に挿入すると、磁気記録媒体３１０がカード処理装置３２０の搬送路３１２に沿って磁気情報読み取り位置又は書き込み位置に搬入し、磁気記録媒体３１０の１乃至複数の磁気トラックに記録されている磁気情報の読み取りや書き込みを行うユニットである。
【００５３】
図４に示す磁気記録媒体処理装置３２０は、磁気トラックの磁気情報が、磁気記録媒体３１０の挿入方向と平行に記録されている場合の実施形態であるが、本発明は磁気情報の記録方向を限定するものではない。
【００５４】
カード処理装置３２０には、図４に示すように、磁気記録媒体３１０を挿入する記録媒体取入口３１４と、挿入した磁気記録媒体３１０を搬送路３１２に沿って搬送する搬送ローラ３１６と、磁気記録媒体３１０の存在位置を確認するフォトセンサ３１８と、１乃至複数の磁気トラックに記録されている識別情報等の読み取り／書き込みを行う１乃至複数の磁気ヘッド３２６とが設けられている。
【００５５】
カード処理装置３２０には、磁気情報処理手段３９８から入力した回転速度信号又は位置信号に基づいた駆動信号を、送りモータ３３４に出力する送りドライバ３８４と、送りドライバ３８４から入力した駆動信号に基づいて搬送ローラを回転、位置決めする送りモータ３３４とが備えられており、磁気情報処理手段３９８の指令に基づいて磁気記録媒体３１０の送りと位置決めを制御することができるようになっている。
【００５６】
１乃至複数の磁気ヘッド３２６の入出力端子は、ヘッドアンプ３０，２３の入出力端子に接続されている。ヘッドアンプ３０，３２は、磁気ヘッド３２６が出力した電流情報をパルス信号に変換して、切換部４０のヘッド側端子４２，４４に出力する。
【００５７】
切換部４０では、磁気トラックの磁気記録形式に応じて、それぞれのヘッド側端子と回路側端子とを接続手段５０を用いて接続する。図４に示す例では、磁気トラック１２及び磁気トラック１４はＩＳＯ規格に基づいた磁気記録形式で記録されているので、ヘッド側端子４２と回路側端子５２とが接続手段５０で接続され、ヘッド側端子４４と回路側端子５４とが接続手段５０で接続されている。そして、こうした形態からなる切換部４０は、ヘッドアンプ３０，３２が出力したパルス信号を磁気情報処理手段６０における復調手段のポート６２，６３に伝達する。
【００５８】
カード処理装置３２０の記録媒体取入口３１４付近に、磁気記録媒体３１０が挿入されたことを検出する挿入センサ３３０を配置することにより、利用者が磁気記録媒体３１０を記録媒体取入口３１４に挿入したことを検出することができる。その検出信号は、計数手段３８０を介して磁気情報処理手段３９８に伝達される。挿入センサ３３０が磁気記録媒体３１０の挿入を検出して、その検出信号を磁気情報処理手段３９８に伝達すると、磁気情報処理手段３９８は、搬送ローラ３１６を回転させる搬送信号を送りドライバ３８４に出力して、磁気記録媒体３１０をカード処理装置３２０の奥側に搬入する処理を行う。また、各処理が終了して磁気記録媒体３１０を排出した場合には、挿入センサ３３０は利用者により磁気記録媒体３１０が抜き取られたことを確認する。
【００５９】
図４に示す搬送ローラ３１６は、磁気記録媒体３１０と接触して磁気記録媒体３１０を搬送路３１２に沿って搬入・排出のための搬送を行うと共に、磁気記録媒体３１０と磁気ヘッド３２６とを所定の速度で相対的に摺動させて磁気トラックに記録されている磁気情報の読み取り／書き込みを行う。
【００６０】
利用者が磁気記録媒体３１０を記録媒体取入口３１４に挿入すると、磁気記録媒体３１０の１乃至複数の磁気トラックに記録されている磁気情報を磁気ヘッド３２６が読み取って電流情報に変換し、ヘッドアンプ３０，３２が電流情報をパルス信号に変換し、パルス信号がポート６２，６４に伝達される。
【００６１】
ポート６２及びポート６４に入力されたパルス信号は、磁気情報処理手段６０における復調手段がＩＳＯ規格に基づいた復調化処理を行うと共に、それぞれのポートに応じた識別情報を付した記録情報を生成し、その記録情報を通信により出力する。
【００６２】
また、磁気記録媒体３１０の磁気トラック１２，１４に磁気情報を記録する場合には、磁気情報処理手段３９８は、先ず、ヘッドアンプ３０，３２に書き込みモードに設定する信号をポート７０から出力して、ヘッドアンプ３０，３２を書き込み状態に設定する。また、ポート６２及びポート６４を出力ポートに切り換えて記録パルスを出力すると共に、磁気記録媒体３１０を搬送する指令を送りドライバ３８４に出力して、磁気記録媒体３１０と磁気ヘッド３２６とを相対的に移動させる。
【００６３】
ポート６２及びポート６４から出力された記録パルスは、回路側端子５２，５４、接続手段５０、ヘッド側端子４２，４４を介してヘッドアンプ３０，３２に伝達される。ヘッドアンプ３０，３２では、入力した記録パルスを記録電流に変換し、バイアス電流と加算した後に所定の磁気ヘッドに出力する。これにより、磁気記録媒体３１０の磁気トラック１２，１４には、磁気情報が記録される。
【００６４】
以上説明したように、本発明のカード処理装置によれば、複数種類の磁気カードに対応したカード処理装置を短納期で製作して顧客に提供することができると共に、カード処理装置の生産、品質保証等の工程管理を簡素化して、安価なカード処理装置を確実に顧客に提供することができる。また、共通部品を用いることにより、アフターサービスの容易なカード処理装置を提供することができる。
【図面の簡単な説明】
【００６５】
【図１】本発明のカード処理装置の第１実施形態を示す構成図である。
【図２】本発明の第２実施形態に係るカード処理装置の信号処理系を示す構成図である。
【図３】本発明の第３実施形態に係るカード処理装置の信号処理系を示す構成図である。
【図４】本発明のカード処理装置の第４実施形態を示す構成図である。
【図５】従来のカード処理装置における磁気情報処理系のブロック図の一例である。
【図６】従来のカード処理装置における磁気情報処理系のブロック図の他の一例である。
【符号の説明】
【００６６】
１０，１１０，２１０，３１０  磁気記録媒体
１２，１４  磁気トラック
２０，１２０，２２０，３２０  カード処理装置
２２  媒体挿入部
２４  スライド溝
２６，２８，２９，３２６  磁気ヘッド
３０，３２，３３  ヘッドアンプ
４０  切換部
４２，４４，４６，４８  ヘッド側端子
５０  接続手段
５２，５４，５６，５８  回路側端子
６０  磁気情報処理手段
６２，６４，６６，６８  ポート
７０  ポート
３１４  記録媒体取入口
３１２  搬送路
３１６  搬送ローラ
３１８  フォトセンサ
３３０  挿入センサ
３３４  送りモータ
３９８  磁気情報処理手段
３８４  送りドライバ
Ｒｐ  プルアップ抵抗
【図１】
2007052853.tif 000003
【図２】
2007052853.tif 000004
【図３】
2007052853.tif 000005
【図４】
2007052853.tif 000006
【図５】
2007052853.tif 000007
【図６】
2007052853.tif 000008